(57)【特許請求の範囲】
【請求項１】
液状物貯留室と、ガス発生室と、ガス発生室で発生したガスを液状物貯留室へ導入するための液状物貯留室とガス発生室との連通部とを有し、前記液状物貯留室には、液状物投入口及び該液状物投入口を密閉しうる密閉蓋と、液状物貯留室内の底部近傍から密閉蓋又は液状物貯留室上壁を気密に貫通し液状物貯留室外に延び、液状物貯留室内端部に液状物取入れ口、液状物貯留室外端部に噴霧ノズルをもつ液状物噴出管とが設けられ、前記ガス発生室には、ガス発生剤投入口及び該ガス発生剤投入口を密閉しうる密閉蓋が設けられ、ガス発生室で発生するガスのガス圧により液状物を噴霧ノズルから噴霧することができることを特徴とする再使用可能な自噴式噴霧器。
【請求項２】
液状物貯留室とガス発生室との連通部又はその近傍に、遮断具が設けられていることを特徴とする請求項１記載の再使用可能な自噴式噴霧器。
【請求項３】
遮断具が、液状物貯留室とガス発生室とのガス圧差が０．５ｋｇｆ／ｃｍ２以上になると、連通部の遮断が解除される遮断具であることを特徴とする請求項２記載の再使用可能な自噴式噴霧器。
【請求項４】
ガス発生室が、ガスを放出することができるガス抜き弁を有することを特徴とする請求項１〜３のいずれか記載の再使用可能な自噴式噴霧器。
【請求項５】
液状物貯留室とガス発生室と連通部とが、プラスチック製であることを特徴とする請求項１〜４のいずれか記載の再使用可能な自噴式噴霧器。
【請求項６】
水と接触することによりガスを発生するガス発生剤を用いて、ガスを発生させ、発生するガスのガス圧により自噴式噴霧器から液状物を噴霧することを特徴とする、請求項１〜５のいずれか記載の再使用可能な自噴式噴霧器を用いた液状物を噴霧する方法。
【請求項７】
発生するガスのガス圧により自噴式噴霧器から噴霧することができる液状物が、防黴成分を含有する防黴液剤であることを特徴とする請求項６に記載の液状物を噴霧する方法。
【請求項８】
発生するガスのガス圧により自噴式噴霧器から噴霧することができる液状物が、塩素系酸化剤を有効成分とする黴除去液剤又は還元剤を有効成分とする塩素系酸化剤の中和液剤であることを特徴とする請求項６に記載の液状物を噴霧する方法。
【発明の詳細な説明】
【０００１】
【発明の属する技術分野】
本発明は、再使用可能な自噴式噴霧器、より詳しくは、水と接触することによりガスを発生するガス発生剤を用い、発生するガスのガス圧により黴発生予防液剤や黴除去液剤等の液状物を作業者がその場にいなくとも噴霧することができる自噴式噴霧器に関する。
【０００２】
【従来の技術】
従来、農薬、入浴剤、殺菌剤、殺虫剤、医薬品、入れ歯洗浄剤、肥料、植物成長調整剤などの有効成分が粉末、ペレット状、錠剤などの形態であるため、水に対して溶解したり、拡散するのに手間と時間がかかるという問題を改善するために、有効成分に炭酸塩や炭酸水素塩、及び水溶性固体酸を配合し、例えば顆粒剤又は錠剤とし、これを水中に入れると反応してガスが発生し、含有された有効成分が水に溶解するようにした発泡製剤が知られている。例えば、農業用の発泡製剤の例としては、除草成分、界面活性剤、発泡剤、結合剤などを含有する水田除草用錠剤又はカプセル（特開平３−２２３２０３号公報）、農薬活性成分、炭酸塩、水溶性固体酸及び高沸点溶剤からなる水面施用発泡性農薬製剤（特開平５−８５９０１号公報）、農薬活性成分、炭酸塩もしくは炭酸水素塩、固体酸及び酸化ホウ素からなる安定化された発泡性農薬製剤（特開平６−２１１６０４号公報）などがあり、植物成長調整剤の発泡製剤の例としては、アルカリ土類金属の炭酸塩に、固体酸或は／及び分解して酸となる固体の塩、更にワックス類、脂肪酸等の疎水性材料を添加せしめたことを特徴とする二酸化炭素ガス発生剤（特開平６−３２７４００号公報）などがあり、医薬用の発泡製剤の例としては、炭酸塩及び酸性物質を含有する発泡性錠剤において、メタリン酸ナトリウムを６重量％以上配合した発泡性錠剤（特開平７−２７７９５９号公報）などがある。
【０００３】
また、エアゾールスプレー装置として、スプレー罐内に第１の部屋と第２の部屋とから成るガス発生器を収納し、第１の部屋とスプレー罐内は第１の部屋の略中央に伸びる管から成る第１通路により連通し、第１の部屋と第２の部屋は第１の部屋の略中央に伸びる管から成る第２通路より連通し、第１通路の管の端部と第２通路の管の端部とを断面がＨ型をした連結部材で覆い、スプレー罐内には噴射する薬剤を収納し、第２の部屋内の水溶液は第１の部屋内の物質と反応するとガスを発生するものであり、第１の部屋内の圧力が第２の部屋内の圧力より小さくなると第２通路を通って水溶液が第１の部屋内に流入してガスを発生し、スプレー罐内の圧力を常に略一定に保つようにしたことを特徴とするエアゾールスプレー装置（特開昭５７−１０７２５９号公報）等が知られている。
【０００４】
また従来、浴室での黴発生の予防や発生した黴の除去に関して、有効塩素として３重量％以上の次亜塩素酸ソーダ、３重量％以上のケイ酸ナトリウムマグネシウム及び水を含有するかび取り剤（特開平１１−２１７５９６号公報）や、イソプロピルアルコ−ル及び／またはエタノ−ルと、有機酸銀及び低級アルキル基で置換されていてもよいベンゾトリアゾ−ルとを含有する抗菌・抗黴性液剤（特開平１０−３３８６０５号公報）や、ナットウ菌の懸濁液をカビ発生及び繁殖の生ずるおそれがあるか、あるいは生じている場所に散布する風呂場の防ばい方法（特開平８−３０１７１２号公報）や、過酸化水素あるいは水溶液中で過酸化水素を生成する過酸化物が生成過酸化水素換算で０．５〜６０重量％、シアン酸のアルカリ金属塩又はシアン酸のアンモニウム塩が０．２〜３０重量％からなる水溶液であって、そのｐＨが７〜１３であることを特徴するカビ取り剤組成物（特開平８−２４５９８７号公報）や、過酸化物０．５〜６０重量％、ジシアンジアミド０．２〜３０重量％、アルカリ金属水酸化物又はアルカリ土類金属水酸化物０．１〜１０重量％及び水４０〜９９重量％からなり、ｐＨが８．０〜１３．０である組成物（特開平８−７３８９６号公報）や、マグネシウム、カルシウム、ストロンチウム、アルミニウム、マンガン、ニッケル、銅、及び、亜鉛からなる群の中から選ばれた２種以上の金属の難溶性オルトリン酸複塩に０．１〜５．０重量％の銀を担持させた粒径３０μｍ以下の抗菌・抗カビ性リン酸複塩０．１〜２０重量％、分散液４．９〜６０重量％、および、噴射剤２０〜９５重量％からなる防菌・防カビ用噴霧剤（特開平７−３０９７０６号公報）や、浴室、各種収納庫などに設置しておくだけで、その空間内を３〜４ヵ月の長期にわたって防かび性とすることができる、亜塩素酸のアルカリ金属塩またはアルカリ土金属塩１００重量部に対し、ｐＨが７．５〜１２．０の水の３００〜５，０００重量部、自重量の３０重量％以上の吸水能をもった無機および／または有機物の粉末または顆粒の５〜５，０００重量部および硫酸カルシウムの半水塩または一水塩の５００〜１０，０００重量部を加えた混合物を主成分とし、これらをかきまぜて固化させた防かび性固形組成物（特開平７−１７８１８号公報）や、イソチオシアン酸アリルと緑茶エキスに有機溶剤を配合してなる抗微生物用組成物（特開平５−２０１８２２号公報）などが知られている。
【０００５】
浴室の壁面や天井面等にカビが付着した場合、換気をしながら、カビが付着している部分に市販のスプレー式のカビ取り剤を２０〜３０ｃｍ離れたところから噴霧し、所定の時間経過後に水洗いを行なうことが一般的に行われている。その他、特許第３０１４０４１号公報には、窓を閉め切り、浴槽から上昇している湯気に向けたり上に向けてスプレー容器から漂白剤を霧状に噴霧することにより、浴室内に霧状に噴霧された漂白剤の微粒子が、上昇気流となっている湯気と共に上昇し、これらの湯気の微粒子と漂白剤の微粒子とが混合しながら浴室内の拡散して壁面や天井面の全面、つまり浴室の内面全体にわたって付着することを用いて、天井面に付着しているカビをも完全に除去するカビ取用噴霧装置が記載されている。
【０００６】
【発明が解決しようとする課題】
本発明の課題は、水と接触することによりガスを発生するガス発生剤を用い、発生するガスのガス圧により黴発生予防液剤や黴除去液剤等の液状物を作業者がその場にいなくとも噴霧することができる再使用可能な自噴式噴霧器を提供することにある。
【０００７】
【課題を解決するための手段】
浴室の天井や壁面には多湿による黴が繁殖するため、次亜塩素酸ナトリウムの水溶液を主成分とする薬剤を吹きつけて黴を分解除去することが行われており、泡状薬剤として吹きつける黴除去剤や粘性薬剤として吹きつける黴除去剤等が実用に供されている。これらの黴除去剤は黴を取り除く上で有効であるが、次亜塩素酸ナトリウム等の塩素系酸化剤は刺激性の強い薬剤であり、毒性が強いため吹きつけ作業時には作業者は保護具を着用する必要があるが、一般家庭では完全な保護具を準備することが困難であるため、危険な状態で作業が行われているのが実態である。特に、天井の黴に薬剤を吹きつける場合は薬剤が作業者の全身にかかり、極めて危険な状態で作業を行わなければならないという問題があった。
【０００８】
浴室の天井及び壁面に適用される黴発生予防剤や黴除去剤の塗布は、これら薬剤のミストや粉塵を作業者が吸引するため危険かつ不快な作業であり、これら薬剤の浴室の天井及び壁面への塗布時に作業者が浴室外に退避できるようにするためには、作業者がその場にいなくとも黴発生予防液剤や黴除去液剤等の液状物を噴霧することが必要である。しかし、殺虫剤を加熱し気散させ室内のゴキブリ等の害虫を殺虫する薫煙剤・薫蒸剤や、殺虫剤を圧縮ガスで液状薬剤として噴霧させるエアゾール遅延噴射式殺虫剤等が提案され、実用に供されているが、金属腐食性を有する次亜塩素酸ナトリウム等の塩素系酸化剤を含む浴室用黴除去剤の塗布にこれらの装置、手段を使用する方法は現在まで提案されていなかった。
【０００９】
本発明者らは、作業者がその場にいなくとも黴発生予防液剤や黴除去液剤等の液状物を噴霧することができる自噴式噴霧器について鋭意研究し、次亜塩素酸ナトリウム等の塩素系酸化剤と固体酸等の酸性物質とを共存させると塩素ガスが発生する可能性があることから、これらを共存させないタイプの自噴式噴霧器とすること、地球環境を考えて再使用が可能な自噴式噴霧器とすること、金属腐食性を有する次亜塩素酸ナトリウム等の塩素系酸化剤に耐性を有するプラスチック製の自噴式噴霧器とすることを基本的なコンセプトとして、液状物貯留室と、ガス発生室と、ガス発生室で発生したガスを液状物貯留室へ導入するための液状物貯留室とガス発生室との連通部とを有し、前記液状物貯留室には、液状物投入口及び該液状物投入口を密閉しうる密閉蓋と、液状物貯留室内の底部近傍から密閉蓋又は液状物貯留室上壁を気密に貫通し液状物貯留室外に延び、液状物貯留室内端部に液状物取入れ口、液状物貯留室外端部に噴霧ノズルをもつ液状物噴出管とが設けられ、前記ガス発生室には、ガス発生剤投入口及び該ガス発生剤投入口を密閉しうる密閉蓋が設けられ、ガス発生室で発生するガスのガス圧により液状物を噴霧ノズルから噴霧することができる再使用可能なプラスチック製の自噴式噴霧器を開発した。
【００１０】
そして、かかる自噴式噴霧器には、水と接触することによりガスを発生し、発生するガスのガス圧により黴発生予防液剤や黴除去液剤等の液状物を作業者がその場にいなくとも噴霧することができる、自噴式噴霧器用の固体無機過酸化物と固体酸化物、又は炭酸塩と固体酸を主成分とするガス発生剤が必要となることに着目した。固体無機過酸化物と固体酸化物、又は炭酸塩と固体酸とを粉末状態で水中に投入すると、初期には激しく反応するが、均一混合している部分の反応が終了すると、水中で固体無機過酸化物と固体酸化物、又は炭酸塩と固体酸が分離し、反応が進まなくなる現象、例えば、易溶性の固体酸と炭酸塩を混合すると固体酸の水溶液中に炭酸塩の結晶が沈んだ状態になり、中性反応液で結晶が覆われるため反応が停止する現象や、遅溶性の固体酸を添加すると固体酸又は炭酸塩の結晶の内、微細粒子の結晶に気泡が附着し液面に浮いてしまい、反応が遅くなる現象等が生起する場合があり、かかる分離を抑制するために、固体無機過酸化物と固体酸化物、又は炭酸塩と固体酸の粉末混合物を加圧成形した造粒品とすることが好ましいことや、特に、液状物貯留室とガス発生室との連通部に遮断具が設けられていないタイプの自噴式噴霧器の場合、遮断具が無くても初期段階から安定に噴霧可能とするには、造粒品と粉末品との混在物を使用すると、初期の急速なガス発生を粉末品で行い、造粒品は発生した気泡により分離した粉末混合品成分を攪拌し反応を促進するとともに、固体無機過酸化物と固体酸化物、又は炭酸塩と固体酸が分離しないためにガスを安定に発生させることができることなどを見い出した。本発明は以上の経緯により完成するに至ったものである。
【００１１】
すなわち本発明は、液状物貯留室と、ガス発生室と、ガス発生室で発生したガスを液状物貯留室へ導入するための液状物貯留室とガス発生室との連通部とを有し、前記液状物貯留室には、液状物投入口及び該液状物投入口を密閉しうる密閉蓋と、液状物貯留室内の底部近傍から密閉蓋又は液状物貯留室上壁を気密に貫通し液状物貯留室外に延び、液状物貯留室内端部に液状物取入れ口、液状物貯留室外端部に噴霧ノズルをもつ液状物噴出管とが設けられ、前記ガス発生室には、ガス発生剤投入口及び該ガス発生剤投入口を密閉しうる密閉蓋が設けられ、ガス発生室で発生するガスのガス圧により液状物を噴霧ノズルから噴霧することができることを特徴とする再使用可能な自噴式噴霧器（請求項１）や、液状物貯留室とガス発生室との連通部又はその近傍に、遮断具が設けられていることを特徴とする請求項１記載の再使用可能な自噴式噴霧器（請求項２）や、遮断具が、液状物貯留室とガス発生室とのガス圧差が０．５ｋｇｆ／ｃｍ２以上になると、連通部の遮断が解除される遮断具であることを特徴とする請求項２記載の再使用可能な自噴式噴霧器（請求項３）や、ガス発生室が、ガスを放出することができるガス抜き弁を有することを特徴とする請求項１〜３のいずれか記載の再使用可能な自噴式噴霧器（請求項４）や、液状物貯留室とガス発生室と連通部とが、プラスチック製であることを特徴とする請求項１〜４のいずれか記載の再使用可能な自噴式噴霧器（請求項５）に関する。
【００１２】
また本発明は、水と接触することによりガスを発生するガス発生剤を用いて、ガスを発生させ、発生するガスのガス圧により自噴式噴霧器から液状物を噴霧することを特徴とする、請求項１〜５のいずれか記載の再使用可能な自噴式噴霧器を用いた液状物を噴霧する方法（請求項６）や、発生するガスのガス圧により自噴式噴霧器から噴霧することができる液状物が、防黴成分を含有する防黴液剤であることを特徴とする請求項６に記載の液状物を噴霧する方法（請求項７）や、発生するガスのガス圧により自噴式噴霧器から噴霧することができる液状物が、塩素系酸化剤を有効成分とする黴除去液剤又は還元剤を有効成分とする塩素系酸化剤の中和液剤であることを特徴とする請求項６に記載の液状物を噴霧する方法（請求項８）に関する。
【００１５】
【発明の実施の形態】
本発明の再使用可能な自噴式噴霧器としては、液状物貯留室と、ガス発生室と、ガス発生室で発生したガスを液状物貯留室へ導入するための液状物貯留室とガス発生室との連通部とを有し、前記液状物貯留室には、液状物投入口及び該液状物投入口を密閉しうる密閉蓋と、液状物貯留室内の底部近傍から密閉蓋又は液状物貯留室上壁を気密に貫通し液状物貯留室外に延び、液状物貯留室内端部に液状物取入れ口、液状物貯留室外端部に噴霧ノズルをもつ液状物噴出管とが設けられ、前記ガス発生室には、ガス発生剤投入口及び該ガス発生剤投入口を密閉しうる密閉蓋が設けられ、ガス発生室で発生するガスのガス圧により液状物を噴霧ノズルから噴霧することができる噴霧器であれば特に制限されるものではないが、液状物貯留室とガス発生室との連通部に遮断具が設けられていない構造が簡単で作製コストが安価な噴霧器や、液状物貯留室とガス発生室との連通部又はその近傍に遮断具、特に液状物貯留室とガス発生室とのガス圧差が０．５ｋｇｆ／ｃｍ２以上になると、連通部の遮断が解除される遮断具が設けられている噴霧器や、ガス発生室にガスを放出することができるガス抜き弁を有する取扱い上安全な噴霧器や、液状物貯留室とガス発生室と連通部とが塩素系薬剤に対して耐性を有するプラスチック製の噴霧器が好ましく、遮断具の有無にかかわらず、ガス抜き弁を有するプラスチック製の噴霧器が特に好ましい。ここで自噴式噴霧器とは、作業者がその場にいなくとも黴発生予防液剤や黴除去液剤等の液状物を噴霧することができる噴霧器をいう。以下、図面に基づいて本発明の自噴式噴霧器を説明する。
【００１６】
図１には、液状物貯留室１０と、ガス発生室２０と、ガス発生室で発生したガスを液状物貯留室へ導入するための液状物貯留室とガス発生室との連通部３０とを有し、液状物貯留室１０には、液状物投入口１１及び該液状物投入口を密閉しうる密閉蓋１２と、液状物貯留室内の底部近傍から密閉蓋を気密に貫通し液状物貯留室外に延び、液状物貯留室内端部に液状物取入れ口１３ａ、液状物貯留室外端部に噴霧ノズル１３ｂをもつ液状物噴出管１３とが設けられ、前記ガス発生室２０には、ガス発生剤投入口２１及び該ガス発生剤投入口を密閉しうる密閉蓋２２が設けられている自噴式噴霧器１が示されている。この再使用可能なタイプの自噴式噴霧器１はプラスチック製であり、上記連通部３０は、遮断具を有さない、液状物貯留室１０とガス発生室２０との連絡通路として形成されている。ガス発生室２０で発生したガスにより、液状物貯留室１０内のガス圧が上昇すると、液状物表面が加圧される結果、液状物は液状物噴出管１３の液状物取入れ口１３ａを経由して噴霧ノズル１３ｂから噴霧されることになる。また、図示はしていないが、噴霧ノズルが閉塞した場合などにガスを放出するためのガス抜き弁を、液状物貯留室１０やガス発生室２０の上壁に設けておくこともできる。このタイプの自噴式噴霧器１の再使用に際しては、内部を水道水で洗浄すればよい。
【００１７】
図２には、液状物貯留室１０と、ガス発生室２０と、ガス発生室で発生したガスを液状物貯留室へ導入するための液状物貯留室とガス発生室との連通部３０とを有し、液状物貯留室１０には、液状物投入口１１及び該液状物投入口を密閉しうる密閉蓋１２と、液状物貯留室内の底部近傍から液状物貯留室上壁を気密に貫通し液状物貯留室外に延び、液状物貯留室内端部に液状物取入れ口１３ａ、液状物貯留室外端部に噴霧ノズル１３ｂをもつ液状物噴出管１３とが設けられ、前記ガス発生室２０には、ガス発生剤投入口２１及び該ガス発生剤投入口を密閉しうる密閉蓋２２が設けられて、前記連通部３０には、キャップ状の中空ゴム栓（遮断具）３１が設けられている自噴式噴霧器２が示されている。この再使用可能なタイプの自噴式噴霧器２はプラスチック製であり、上記連通部３０は、液状物貯留室１０とガス発生室２０との共通側壁に形成され、この連通部３０に設けられたキャップ状の中空ゴム栓（遮断具）３１は、例えば液状物貯留室１０とガス発生室２０とのガス圧差が０．５ｋｇ／ｃｍ2以上になると、ガス圧により連通部３０から液状物貯留室１０内へと脱落し、連通部の遮断が解除されるようになっており、液状物貯留室１０内のガス圧が上昇すると、液状物表面が加圧される結果、液状物は液状物噴出管１３の液状物取入れ口１３ａを経由して噴霧ノズル１３ｂから噴霧されることになる。また、図示はしていないが、噴霧ノズルが閉塞した場合などにガスを放出するためのガス抜き弁を、ガス発生室２０の上壁に設けておくこともできる。このタイプの自噴式噴霧器２の再使用に際しては、内部を水道水で洗浄した後、キャップ状の中空ゴム栓をピンセット等で連通部３０に再セットすればよい。
【００１８】
図３には、液状物貯留室１０と、ガス発生室２０と、ガス発生室で発生したガスを液状物貯留室へ導入するための液状物貯留室とガス発生室との連通部３０とを有し、液状物貯留室１０には、液状物投入口１１及び該液状物投入口を密閉しうる密閉蓋１２と、液状物貯留室内の底部近傍から液状物貯留室上壁を気密に貫通し液状物貯留室外に延び、液状物貯留室内端部に液状物取入れ口１３ａ、液状物貯留室外端部に噴霧ノズル１３ｂをもつ液状物噴出管１３とが設けられ、前記ガス発生室２０には、ガス発生剤投入口２１及び該ガス発生剤投入口を密閉しうる密閉蓋２２が設けられて、前記連通部３０には、半円状の二枚のディスクが開閉する構造を有する二葉弁（バタフライ弁）３２が設けられている自噴式噴霧器３が示されている。この再使用可能なタイプの自噴式噴霧器３はプラスチック製であり、上記連通部３０は、液状物貯留室１０とガス発生室２０との共通側壁に形成され、この連通部３０に設けられた二葉弁（バタフライ弁）３２は、例えば液状物貯留室１０とガス発生室２０とのガス圧差が０．５ｋｇ／ｃｍ2以上になると、ガス圧により半円状の二枚のディスクが開き、連通部の遮断が解除されるようになっており、液状物貯留室１０内のガス圧が上昇すると、液状物表面が加圧される結果、液状物は液状物噴出管１３の液状物取入れ口１３ａを経由して噴霧ノズル１３ｂから噴霧されることになる。また、図示はしていないが、噴霧ノズルが閉塞した場合などにガスを放出するためのガス抜き弁を、ガス発生室２０の上壁に設けておくこともできる。このタイプの自噴式噴霧器３の再使用に際しては、内部を水道水で洗浄すればよい。
【００１９】
図４には、液状物貯留室１０と、ガス発生室２０と、ガス発生室で発生したガスを液状物貯留室へ導入するための液状物貯留室とガス発生室との連通部３０とを有し、液状物貯留室１０には、液状物投入口１１及び該液状物投入口を密閉しうる密閉蓋１２と、液状物貯留室内の底部近傍から液状物貯留室上壁を気密に貫通し液状物貯留室外に延び、液状物貯留室内端部に液状物取入れ口１３ａ、液状物貯留室外端部に噴霧ノズル１３ｂをもつ液状物噴出管１３とが設けられ、前記ガス発生室２０には、ガス発生剤投入口２１及び該ガス発生剤投入口を密閉しうる密閉蓋２２が設けられて、前記連通部３０の近傍のガス発生室２０上部には、バネで下方に押圧された円盤状のディスクを備えた閉塞弁３３が設けられている自噴式噴霧器４が示されている。この再使用可能なタイプの自噴式噴霧器４はプラスチック製であり、上記連通部３０は、液状物貯留室１０とガス発生室２０との共通側壁に形成され、連通部３０の近傍に設けられた閉塞弁３３は、例えば液状物貯留室１０とガス発生室２０とのガス圧差が０．５ｋｇ／ｃｍ2以上になると、ガス圧により円盤状のディスクがバネの押圧力に抗して押し上げられ、連通部の遮断が解除されるようになっており、液状物貯留室１０内のガス圧が上昇すると、液状物表面が加圧される結果、液状物は液状物噴出管１３の液状物取入れ口１３ａを経由して噴霧ノズル１３ｂから噴霧されることになる。また、図示はしていないが、噴霧ノズルが閉塞した場合などにガスを放出するためのガス抜き弁を、ガス発生室２０の上壁に設けておくこともできる。このタイプの自噴式噴霧器４の再使用に際しては、内部を水道水で洗浄すればよい。
【００２０】
本発明の自噴式噴霧器に用いられるガス発生剤としては、水と接触することによりガスを発生するガス発生組成物からなり、発生するガスのガス圧により液状物を自噴式噴霧器から噴霧することができる自噴式噴霧器用のガス発生剤であれば特に制限されるものではなく、上記ガス発生組成物としては、固体無機過酸化物と固体酸化剤を含有し、水と接触することにより酸素ガスを発生する酸素ガス発生組成物や、炭酸塩、重炭酸塩、過炭酸塩から選ばれる１種又は２種以上の炭酸塩化合物と固体酸性物質とを含有し、水と接触することにより炭酸ガスを発生する炭酸ガス発生組成物を好適に例示することができる。発生ガスとしては、上記の酸素ガス、炭酸ガスの他に、窒素ガス等を挙げることができる。
【００２１】
上記無機固体過酸化物としては、固体状態で安定であり、水、必要に応じて酸性水と接触することにより過酸化水素を発生する性質を有する化合物であれば特に制限されるものではなく、酸性水と接触させる場合には、組成物として固体酸を含有させておき、水と接触させることもできる。無機固体過酸化物として具体的には、過炭酸カリウム、過炭酸ナトリウム等の過炭酸塩、過硫酸ナトリウム、過硫酸カリウム等の過硫酸塩、過硼酸カリウム、過硼酸ナトリウム等の過硼酸塩などを好適に例示することができ、これらは単独あるいは２種以上の混合物として用いることができる。また、他の態様の上記無機固体過酸化物として、炭酸塩過酸化水素化物、硼酸塩過酸化水素化物等の無機塩過酸化水素化物を好適に例示することができ、具体的には、Ｋ2ＣＯ3・２Ｈ2Ｏ2・０．５Ｈ2Ｏ、Ｋ2ＣＯ3・３Ｈ2Ｏ2、Ｎａ2ＣＯ3・Ｈ2Ｏ2・０．５Ｈ2Ｏ、Ｎａ2ＣＯ4・０．５Ｈ2Ｏ、Ｎａ2ＣＯ4・Ｈ2Ｏ2、Ｎａ2ＣＯ3・３Ｈ2Ｏ2、Ｎａ2ＢＯ2・Ｈ2Ｏ2・３Ｈ2Ｏ、ＮａＢ4Ｏ7・Ｈ2Ｏ2・９Ｈ2Ｏ、ＫＢＯ3・０．５Ｈ2Ｏ等を挙げることができ、これらは単独あるいは２種以上の混合物として用いることができる。
【００２２】
上記固体酸化剤としては、上記無機固体過酸化物が水又は酸性水と反応して、生成した過酸化水素を分解して酸素を発生する性質を有する化合物であれば特に制限されるものではなく、具体的には、ジクロロイソシアヌール酸又はその塩、次亜塩素酸又はその塩、二酸化マンガン、過マンガン酸カリウム等を例示することができるが、水への溶解度の優れているジクロロイソシアヌール酸アルカリ金属塩や次亜塩素酸アルカリ金属塩をより好適に例示することができる。
【００２３】
上記炭酸塩化合物としては、炭酸塩、重炭酸塩、過炭酸塩から選ばれる化合物であれば特に限定されるものではなく、具体的には、例えば炭酸ナトリウム、炭酸水素ナトリウム（重炭酸ナトリウム）、過炭酸ナトリウム、セスキ炭酸ナトリウム、炭酸カリウム、炭酸水素カリウム、過炭酸カリウム、セスキ炭酸カリウム、炭酸アンモニウム、炭酸水素アンモニウム、セスキ炭酸アンモニウム、炭酸カルシウム、炭酸マグネシウム、炭酸リチウム、炭酸水素リチウム等を挙げることができ、特に炭酸水素ナトリウム、炭酸ナトリウムが好ましく用いられる。これらは単独で用いてもよく、２種以上を任意の割合で組み合わせて用いてもよい。
【００２４】
上記固体酸性物質としては、水溶液が酸性を呈する固体物質であれば特に限定されるものではなく、具体的には、例えばクエン酸、マレイン酸、コハク酸、リンゴ酸、乳酸、アスコルビン酸、フマル酸、酒石酸、シュウ酸、マロン酸、アジピン酸、ｐ−トルエンスルホン酸、スルファミン酸、ホウ酸、クエン酸一ナトリウム、クエン酸二ナトリウム、リン酸二水素ナトリウム、リン酸二水素カリウム等を挙げることができ、特にクエン酸、マレイン酸、リンゴ酸、アスコルビン酸、フマル酸、リン酸二水素ナトリウムが好ましく用いられる。これらの固体酸性物質は、それぞれ単独で用いてもよく、２種以上を任意の割合で組み合わせて用いてもよい。
【００２５】
水と接触することにより酸素ガスや炭酸ガス等を発生するガス発生組成物には、上記固体無機過酸化物と固体酸化物、又は炭酸塩化合物と固体酸性物質の他に、任意の添加配合剤を含有させることもできる。かかる添加配合剤としては、崩壊剤、消泡剤、界面活性剤、結合剤、乳化剤、安定剤、滑剤、着色剤、増量剤、ｐＨ調節剤、乾燥剤等を挙げることができるが、固体無機過酸化物や固体酸化物、又は炭酸塩化合物や固体酸性物質の水に対する溶解性、分散性を大きく損なわない添加配合剤が好ましい。上記各種添加配合剤の中でも、崩壊剤及び／又は消泡剤を好適に例示することができ、崩壊剤を含有させることにより、錠剤等の造粒品の崩壊を促進して、固体無機過酸化物や固体酸化物、又は炭酸塩化合物や固体酸性物質の放出を早め、水と接触することにより発生するガス量を容易にコントロールすることが可能となる。例えば、崩壊剤は、液状物貯留室とガス発生室との連通部に遮断具が設けられていないタイプの自噴式噴霧器における初期圧を高めるために特に有利に用いることができる。また、消泡剤を含有させることにより、固体無機過酸化物と固体酸化物、又は炭酸塩化合物と固体酸性物質の微細粒子の結晶にガス発生時の気泡が附着し液面に浮上することによる反応の遅延を防止することができる。
【００２６】
上記崩壊剤としては、通常、崩壊剤と呼ばれる医薬品工業、食品工業、化学工業等で広く使用されている崩壊剤であればどのようなものでもよく、具体的には、デンプン、寒天末、ＣＭＣ、アルギン酸ナトリウム等を挙げることができる。また、上記消泡剤としては、通常、消泡剤と呼ばれる食品工業、発酵工業、医薬品工業等で広く使用されている消泡剤であればどのようなものでもよいが、水溶性の固体の消泡剤が好ましく、具体的には、ソルビタン脂肪酸エステル等の非イオン活性剤やポリジメチルシロキサン等のポリシロキサン化合物を挙げることができる。その他、結合剤等は、従来公知のものを用いることができる。
【００２７】
固体無機過酸化物と固体酸化物、又は炭酸塩化合物と固体酸性物質、及び任意成分である添加配合剤それぞれの配合量は、これらを含有するガス発生組成物が水と接触することによりガスを発生した後の水溶液のｐＨが７以下、特にｐＨ１〜５、中でもｐＨ２〜４となるようにするのが好ましい。また、固体無機過酸化物と固体酸化物、又は炭酸塩化合物や固体酸性物質、及び任意成分である添加配合剤として、粒子径１ｍｍ以下、好ましくは０．５ｍｍ以下の粉末又は顆粒を用いると、溶解性の点で好ましい。固体無機過酸化物と固体酸化物、又は炭酸塩化合物と固体酸性物質の合計含有量は、用いられる化合物によっても変動するが、上記ガス発生組成物の全重量に対して３０〜１００重量％（以下、単に％と示す）、より好ましくは、５０〜９５％、さらに好ましくは７０〜９０％の範囲とすることができる。また、固体無機過酸化物と固体酸化物の重量比、又は炭酸塩化合物と固体酸性物質の重量比も、用いられる化合物によって変動するが、１：１０〜１０：１、より好ましくは３：７〜７：３の範囲とすることができる。重量比が１：１０〜１０：１の範囲を超えると、発生するガス量が少なくなる可能性がある。
【００２８】
本発明の自噴式噴霧器に用いられるガス発生剤は、上記ガス発生組成物の全部又は一部を造粒品とすることが好ましく、ここで造粒品とは、粉体の凝集や成形、あるいは固体粒子表面の被覆により粒径を増大させたもの、又は、粉体の凝集物や成形物の解砕物をいい、具体的には、顆粒、錠剤、ペレット等をいう。上記ガス発生組成物の一部を造粒品とする態様として、顆粒、錠剤、ペレット等の造粒品と粉体との混在物からガス発生組成物を構成する態様を好適に例示することができ、造粒品と粉体との混合比率は特に制限されないが、５０〜９０重量部：１０〜５０重量部が好ましい。かかる造粒品と粉体との混在物は、液状物貯留室とガス発生室との連通部に遮断具が設けられていないタイプの自噴式噴霧器における初期圧を高めるために特に有利に用いることができる。
【００２９】
上記顆粒、錠剤、ペレット等の造粒品として、固体無機過酸化物と固体酸化物、又は炭酸塩化合物と固体酸性物質とを含む加圧成形品や、かかる加圧成形品を解砕、分級して得られる顆粒を好適に例示することができる。加圧成形品は、通常、医薬分野で実施される方法等の公知の方法により製造することができ、例えば、顆粒又は粉体の固体無機過酸化物と固体酸化物、又は炭酸塩化合物と固体酸性物質等を混合し、そのまま、あるいはそれらの粒径を１〜２００μｍに粉砕し、これに必要に応じて結合剤を加え、打錠機、もしくはブリケッティングマシンを用いて成型することができる。打錠圧等の加圧度は、打錠機等の製造機器によっても異なるが、２００〜５０００ｋｇ／ｃｍ2が好ましく、５００〜２０００ｋｇ／ｃｍ2がより好ましく、製品密度が０．５〜３ｇ／ｃｍ3、０．７〜２ｇ／ｃｍ3となるように調製することが好ましい。また、加圧成形品の形状は特に制限されるものではなく、タブレット状、球、円柱、直方体、立方体、卵状等を例示することができ、かかる形状によりガス発生能が大きく影響されるものではないが、最大長さ方向の大きさが１５ｍｍ以下、特に６〜１２ｍｍの錠剤であることが、成分の溶解性・均一分散性等の点で好ましい。
【００３０】
また、造粒品として、固体無機過酸化物と固体酸化物、又は炭酸塩化合物と固体酸性物質を含む加圧成形体（Ｉ）と、固体無機過酸化物と固体酸化物と崩壊剤、又は炭酸塩化合物と固体酸性物質と崩壊剤を含有する加圧成形体（II）とが多層状となった多層構造体、例えば、加圧成形体（Ｉ）層の両外側に加圧成形体（II）層が設けられた３層構造の錠剤や、加圧成形体（Ｉ）からなるコアに加圧成形体（II）のコーティング層が設けられた丸薬を好適に例示することができ、ここでの加圧成形体（Ｉ）には崩壊剤は含まれない。加圧成形体（Ｉ）と加圧成形体（II）との構成比率は特に制限されないが、５０〜９０重量部：１０〜５０重量部、特に５０〜７０重量部：３０〜５０重量部が好ましい。かかる多層構造体とすることにより、錠剤等の外側層部分の崩壊を促進して、固体無機過酸化物や固体酸化物、又は炭酸塩化合物や固体酸性物質の放出を早め、水と接触することにより発生するガス量や発生時期を容易にコントロールすることが可能となる。かかる多層構造体は、液状物貯留室とガス発生室との連通部に遮断具が設けられていないタイプの自噴式噴霧器における初期圧を高めるために特に有利に用いることができる。さらに、この加圧成形体（Ｉ）と加圧成形体（II）で構成される多層構造体等の、固体無機過酸化物と固体酸化物、又は炭酸塩化合物と固体酸性物質とを含む加圧成形品と前記粉体との混在物からガス発生組成物を構成することもでき、この場合、水と接触することにより発生するガス量をコントロールすることがより一層容易となる。
【００３１】
上述の造粒品と粉体との混在物、多層構造体等のガス発生組成物は、そのまま使用することもできるが、水溶性フィルム、水分散性フィルム、徐通水性フィルム等に包装した包装体としても使用することができる。水溶性フィルム、水分散性フィルム、又は徐通水性フィルムで包装することにより、ガスの発生時期や発生量をコントロールすることが可能となるばかりか、固体無機過酸化物と固体酸化物、又は炭酸塩化合物と固体酸性物質とを含むガス発生組成物を別途包装する手間を省略することができる。例えば、水溶性フィルムや水分散性フィルム等で包装したガス発生組成物からなるガス発生剤をガス発生室に投入し、水を加えてガス発生反応を開始させる場合、水溶性フィルム等で包装されているためガス発生時期を若干遅らせることが可能であり、装置作動後に作業者が浴室より待避する時間を稼ぐことができる。かかる水溶性フィルムとしては、部分ケン化ポリビニルアルコール、変性ポリビニルアルコール、ポリエチレンオキシド、メチルセルロースフィルム等を例示することができ、また、水分散性フィルムとしては、繊維と水溶性高分子の混合体フィルム等を例示することができる。また、不織布や和紙等の水を徐々に通水する徐通水フィルム等で包装したガス発生組成物からなるガス発生剤をガス発生室に投入し、水を加えてガス発生反応を開始させる場合、徐々に通水した水とガス発生組成物とが接触することによりガスが発生し、袋を破裂させることにより薬剤が多量の水と一度に接触し、一度に多量のガスを発生させることが可能となる。
【００３２】
ガス発生剤から発生するガスのガス圧により自噴式噴霧器から噴霧することができる液状物としては特に制限されるものでなく、防黴成分を含有する黴発生予防液剤、塩素系酸化剤を有効成分とする黴除去液剤、還元剤を有効成分とする塩素系酸化剤の中和液剤の他、アロマセラピー用の精油含有液、殺虫剤含有液等を例示することができるが、作業者がその場にいなくとも噴霧することができる本発明の自噴式噴霧器に適用されるものであることからして、黴発生予防液剤、黴除去液剤、殺虫剤含有液等を好適に例示することができる。なお、噴霧される液状物がアルカリ性を呈する溶液の場合は、発生するガスとして炭酸ガスよりも酸素ガスを用いる方が好ましい。
【００３３】
【実施例】
以下、実施例により本発明をより具体的に説明するが、本発明の技術的範囲はこれらの例示に限定されるものではない。
実施例１（自噴式噴霧器による黴防止液剤の噴霧）
自噴式噴霧器として、１．５リットル容の液状物貯留室と、１リットル容の炭酸ガス発生室と、両室を連通する直径１０ｍｍの連通口が最大直径１１ｍｍのキャップ状の中空ゴム栓（遮断具）で塞がれているポリエチレン製容器を用いた。液状物貯留室の液状物投入口から、ジングピリチオン５％、ナフタレンスルホン酸ホルムアルデヒド結合物ナトリウム塩１％、ヒドロキシプロピルセルロース２％を含む水溶液（黴防止液剤）１リットルを充填し、噴霧ノズルをもつ密閉蓋で密封した。他方、炭酸水素ナトリウム２０重量部とＤＬリンゴ酸１６重量部とシリコン系消泡剤０．０１重量部とを混合した粉末をローラーコンパクターで圧縮し、得られた厚さ１．５ｍｍのフレークを破砕、篩別して直径１〜２ｍｍの顆粒を調製した。この顆粒３５〜４０ｇを水溶性フィルムの袋に充填し、袋の口を封じて自噴式噴霧器用炭酸ガス発生剤とした。炭酸ガス発生室に水１５０ミリリットルを注ぎ、これに上記炭酸ガス発生剤を投入し、すばやく投入口を密閉蓋にて密封した。この自噴式噴霧器を、あらかじめ浴室用具は室外に搬出し、壁面と天井に附着していた水滴をモップで拭い去っておいた、床面積１．８ｍ×１．５ｍ、天井高さ２．２ｍの天井と壁面に黒黴が発生している浴室の浴槽の蓋を閉めた上で、ほぼ浴室の中央部の位置に設置し、浴室外に退避した。約３０秒後に水溶性フィルムが溶解し、炭酸ガスがガス発生室内で発生し、黴防止剤が約３分間噴霧され噴霧が終了した。噴霧終了後３０分間放置し、浴室内を観察したところ、天井と壁面の全面に防黴剤が塗布されていた。５時間、窓を解放して浴室内を乾燥させた後、通常どおりに浴室を使用したところ、噴霧から１年経過後も黒黴の発生は認められなかった。なお。このような処理を行わずに使用した場合には、３〜４ヶ月後に黒黴の発生が認められた。
【００３４】
実施例２（自噴式噴霧器による黴防止液剤の噴霧）
自噴式噴霧器用炭酸ガス発生剤として、炭酸水素ナトリウム２０重量部とコハク酸７重量部、ＤＬリンゴ酸８重量部、シリコン系消泡剤０．０３重量部、ヒドロキシプロピルセルロース微粉末１重量部、カルボキシメチルセルロースカルシウム塩１重量部の混合粉末４０ｇを加圧成形した錠剤（２０ｇ×２個）を用いる以外は実施例１と同様に実施し、浴室天井と壁面の黴を防止できることを確認した。上記加圧成形は、Φ４０ｍｍ金型を設置した連続油圧打錠機を用い、打錠圧１５ｔ／ｃｍ2で重量２０ｇの錠剤を打錠するという条件で行った。
【００３５】
実施例３（自噴式噴霧器による黴除去液剤の噴霧）
過炭酸ナトリウム（炭酸ナトリウム・過酸化水素化物とも言う。２Ｎａ2ＣＯ3・３Ｈ2Ｏ2）粉末２０ｇとジクロロイソシアヌール酸ナトリウム・２水塩粉末２０ｇの混合物を不織布製袋に充填し、袋の口をヒートシールし自噴式噴霧器用ガス発生剤とした。この不織布製袋の片面外側にはシリコーン系消泡剤０．２ｇを塗布した。自噴式噴霧器としては実施例１に示される自噴式噴霧器を中空ゴム栓（遮断具）を使用せずに用い、黴除去液としてはジクロロイソシアヌール酸ナトリウム・２水塩５０ｇと炭酸ナトリウム３０ｇの混合物とラウリル硫酸ナトリウム５ｇの混合物を水９００ミリリットルに溶解した液を使用し、実施例１と同一の方法で浴室の黴除去を行い、天井と壁面の黴が完全に除去できることを確認した。不織布の袋は水に投入後１０秒後から膨らみ、４０秒後に破裂し、ガス発生が激しくなった。
【００３６】
実施例４（自噴式噴霧器による黴除去液の中和剤の噴霧）
実施例３の噴霧終了後の自噴式噴霧器を回収し、液状物貯留室を水で簡単に洗浄して再度用いた。実施例３における黴除去液剤に代えて、還元剤を有効成分とする塩素系酸化剤の中和液剤（チオ硫酸ナトリウム５０ｇを水１リットルに溶解した中和液）を用いる以外は、実施例３と同様にして中和液剤を噴霧させて、浴室の天井と壁面に残存する黴除去液を中和液で中和分解した。中和液の噴霧は前記黴除去液の噴霧の時と同じ場所に噴霧容器を設置して実施した。
【００３７】
【発明の効果】
本発明の自噴式噴霧器とガス発生剤とを併用すると、水と接触させることによりガスを発生し、発生するガスのガス圧により黴発生予防液剤や黴除去液剤等の液状物を作業者がその場にいなくとも噴霧することができ、また、ガスを発生する時期をコントロールしたり、発生するガス量をコントロールすることができる。
【図面の簡単な説明】
【図１】液状物貯留室とガス発生室との連通部に遮断具を有さないタイプの本発明の再使用可能なタイプの自噴式噴霧器を示す図である。
【図２】液状物貯留室とガス発生室との連通部にキャップ状の中空ゴム栓（遮断具）を有するタイプの本発明の再使用可能なタイプの自噴式噴霧器を示す図である。
【図３】液状物貯留室とガス発生室との連通部に二葉弁（バタフライ弁）を有するタイプの本発明の再使用可能なタイプの自噴式噴霧器を示す図である。
【図４】液状物貯留室とガス発生室との連通部近傍のガス発生室上部に閉塞弁を有するタイプの本発明の再使用可能なタイプの自噴式噴霧器を示す図である。
【符号の説明】
１，２，３，４……自噴式噴霧器
１０……液状物貯留室
１１……液状物投入口
１２……密閉蓋
１３……液状物噴出管
１３ａ……液状物取入れ口
１３ｂ……噴霧ノズル
２０……ガス発生室
２１……ガス発生剤投入口
２２……密閉蓋
３０……連通部
３１……中空ゴム栓（遮断具）
３２……二葉弁（バタフライ弁）
３３……閉塞弁
【図１】
0004040894.tif 000002
【図２】
0004040894.tif 000003
【図３】
0004040894.tif 000004
【図４】
0004040894.tif 000005